(57)【要約】      （修正有）【課題】ゴミ箱に用いるゴミ袋を、ゴミ箱の縁に、綺麗に固定することができる筒型の固定器具を提供する。【解決手段】板紙や樹脂シートなどを丸めてなる筒型の固定具９を、ゴミ箱２に投入し、ゴミ袋１の口の部位を筒型の固定具９の縁に引っ掛けて固定する。ゴミ袋１の固定を、ゴミ箱２の内側で行うので、綺麗に始末できる。【選択図】図９
0003203559.tif 000002
【実用新案登録請求の範囲】
【請求項１】
ゴミ袋をゴミ箱に固定するため、薄板を丸めてなる筒をゴミ箱に投入して、袋の口の部分を筒の縁に引っ掛けて用いる、筒形の固定器具。
【請求項２】
底がすぼまる形のゴミ箱に対応させる（馴染ませる）ため、１０箇所程度の切り込み（７）を施した、ゴミ袋をゴミ箱に固定するための筒形の固定器具。
【考案の詳細な説明】
【技術分野】
【０００１】ゴミ箱（２）は、ポリエチレン製の袋（１）を、ゴミ箱の内側に装着して用いられることが多い。【０００２】家庭や事務所などで用いられる大半のゴミ箱は小型で、その容量は８ｌ前後、箱の口は筒形の場合、直径２０ｃｍ程度、箱の縁（外周）は約６０ｃｍ、高さは２５ｃｍ前後である。【０００３】近時ゴミ箱の形状は、大半が円筒形である。その円筒形は、上下の径が同一の円柱形と、底に向けてすぼませる形があり、後者が大半を占める。この場合、投入口と底面の直径の差は約１０％である。投入口が底より広いのは、投入したゴミの引き出しを容易にするためである。
【背景技術】
【０００４】ゴミ箱の内側に装着するゴミ袋（１）は、ゴミ箱の内側が汚れることを防ぐためである。ゴミ袋はゴミでいっぱいになると、自治体が指定するゴミ袋に、袋のまま移しかえて、廃棄することになる。【０００５】ゴミ箱に用いるゴミ袋は、家庭では、スーパーマーケットや、その他商店で支給されるレジ袋（図３）を再利用して用いることが多い。【０００６】ゴミ袋のゴミ箱への固定方法は、袋の口（縁）部分を、図１のようにゴミ箱の外側に折り曲げるだけか、この折り曲げ部分を図２のように、（３）のゴム紐（ベルト）で巻き締めて固定する。
【考案の概要】
【考案が解決しようとする課題】
【０００７】ゴミ袋を、ゴミ箱の縁（外周）に綺麗に固定したい。【０００８】レジ袋（図３）をゴミ袋に用いる場合は、把手（４）や、とじ紐（５）がゴミ箱の縁から垂れ下がり、見苦しい（図４）。これを手軽に、しかも綺麗に始末したい。
【課題を解決するための手段】
【０００９】ゴミ箱の内側に、薄板でなる筒（図７）を投入し装着して、この筒の口の縁に、ゴミ袋の口の部分を、引っ掛ける方法（図９）で固定する。【００１０】ゴミ袋をゴミ箱に固定する方法は、まず本考案になる筒具（７）をゴミ箱に投入する。【００１１】筒具（９）の高さは、ゴミ箱の深さと同程度とし、外形はゴミ箱の内径よりも、やや小さくする。これにより、図８のように、ゴミ箱と筒具の間に隙間が生じ、指１本を差し込める寸法である。【００１２】ゴミ袋は、その口周り（縁）を、図９のように箱（２）と筒具（９）の間にできた隙間に押し込むことによって固定される。ゴミ袋にレジ袋を利用する場合は、袋の把手（４）やとじ紐（５）も押し込むことにより、ゴミ箱の投入口の縁を図１０のように綺麗に始末できるようになった。これは、本考案がごみ袋の口部（縁）の固定を、これまでのゴミ箱の外側（３）で行うのではなく、箱の内側で行うという特徴を示している。【００１３】多くのレジ袋（図３）の容量は１０ｌ以上あり、本考案の筒具（９）の中で余裕をもって広げることができる。袋の底も、ゴミ箱の底に余裕をもって到達する。このため、ごみが充満しても固定した（引っ掛けた）袋の縁には、下方向に引き下げる荷重は、殆どかからない。従って、筒具（９）の構造は、頑丈である必要がない。【００１４】本考案になる筒型の固定具（９）は、厚紙などの薄板を図５のように裁断する。材料となる板の寸法は、縦はゴミ箱の深さとほぼ同寸にし、横は接着部分（６）を含めて、ゴミ箱の内周よりやや大き目にし、これを図６のように丸めて、板の両端を接着して筒（図７）をつくる。【００１５】本考案になる筒型の固定具（９）には、図５−７のように、切り込み（切断）を施す。
この切りこみは、尻すぼみ形のゴミ箱に適応させる（馴染ませる）ためのものである。
即ち、尻すぼみに対しては、隣り合うプレート（８）の先端部分が重なり合って、すぼまる角度を吸収することになる。
【本考案の効果】
【００１６】本考案になる筒型の固定具（９）を用いて、ゴミ袋をゴミ箱に固定する方法は、これまでのゴム紐による固定法が、ゴミ箱の外側で固定する方法と違い、箱の内側で固定する。従って、袋の縁は一切箱の外側に現れず、綺麗に始末できることになる。
【００１７】本考案になるゴミ袋の固定具（９）は、再利用するレジ袋に特に有効である。レジ袋は把手（４）やとじ紐の始末が面倒であるが、本考案になる固定具（９）を用いれば、それらをゴミ箱の内側に容易に隠すことができる。従ってレジ袋の再利用を促すことにもなる。
【図面の簡単な説明】
【００１８】
【図１】図１は、ゴミ箱にゴミ袋を装着した状態を示す断面図。
【図２】図２は、ゴミ袋を筒形のゴミ箱に、ゴム紐（ベルト）で締め付けて固定した状態を示す斜視図
【図３】図３は、レジ袋の斜視図。
【図４】図４は、レジ袋をゴミ箱に装着した図。
【図５】図５は、筒形の固定具の胴板の展開図（平面図）
【図６】図６は、筒形の固定具の制作過程、即ち板を丸める状態を示す斜視図。
【図７】図７は、筒形の固定具の完成図。
【図８】図８は、ゴミ箱に筒形の固定具を装着した状態を示す上面図。
【図９】図９は、本考案になる筒型の固定具で、ゴミ袋をゴミ箱にセットした状態を示す断面図。
【図１０】図１０は、筒形の固定具でゴミ袋をゴミ箱に固定した状態を示す斜視図。
【考案を実施するための形態】
【００１９】本考案になる筒型のゴミ袋の固定具の（９）素材（板）は、厚紙や段ボール紙、木板、樹脂シート等が利用できる。板の厚みは、素材によって異なるが、おおよそ０．３ｍｍから０．５ｍｍ程度が望ましい。
【００２０】筒形のゴミ袋の固定具（９）の高さは、ゴミ箱の深さと同等が望ましいが、数ｃｍ低くても同様の効果が得られる。
【００２１】本考案になる筒型の固定具（９）を、底すぼみ型のゴミ箱に対応させるための、胴の切り込み（７）の間隔は５ｃｍ程度とする。これによりプレート（８）は、１０〜１２枚装着することになる。その切り込みの長さは、ゴミ箱の深さの約半分とする。ゴミ箱の尻すぼみの角度が大きい場合は、切り込みを長くすればよい。従って、ゴミ箱が円柱形であれば、切り込みは不要である。
【００２２】本考案になる筒型のゴミ袋固定器具は、ゴミ箱の製造者（メーカー）が、その寸法にあう設計を行い、箱に付属して出荷することができる。この場合は、筒具の下方に施す切り込みは不要となる。
【符号の説明】
【００２３】  １  …  ゴミ袋
２  …  ゴミ箱
３  …  ゴム紐
４  …  把手
５  …  とじ紐
６  …  接着部分
７  …  切り込み
８  …  プレート
９  …  筒具
【図１】
0003203559.tif 000003
【図２】
0003203559.tif 000004
【図３】
0003203559.tif 000005
【図４】
0003203559.tif 000006
【図５】
0003203559.tif 000007
【図６】
0003203559.tif 000008
【図７】
0003203559.tif 000009
【図８】
0003203559.tif 000010
【図９】
0003203559.tif 000011
【図１０】
0003203559.tif 000012